(57)【要約】【課題】  下部を太くしてリール付きの釣竿を収納できるようにした釣竿ケースにおいてそのサイズアップを抑制しつつ収納効率を向上させる。【解決手段】  リール付きの釣竿Ｗが収納可能なように下部に太い胴部Ａ１を有するケース本体Ａを備えた釣竿ケースであって、ケース本体Ａの上部には、胴部Ａ１との間に細い首部Ａ２が形成されるように、首部Ａ２よりも太く胴部Ａ１よりも細い頭部Ａ３が形成され、該頭部Ａ３の内部にポケット７０が設けられている。【選択図】  図５
2008011737.tif 000002
【特許請求の範囲】
【請求項１】
リール付きの釣竿が収納可能なように下部に太い胴部を有するケース本体を備えた釣竿ケースであって、ケース本体の上部には、胴部との間に細い首部が形成されるように、首部よりも太く胴部よりも細い頭部が形成され、該頭部の内部に小物収納部が設けられていることを特徴とする釣竿ケース。
【請求項２】
小物収納部として、頭部の内面に、内側に突出したマチ付きのポケットが設けられている請求項１記載の釣竿ケース。
【請求項３】
胴部は一方向に膨出することによってその膨出方向に偏って太く形成され、且つ、頭部は胴部と同方向に膨出することによって胴部と同方向に偏って太く形成され、頭部の膨出部の内面に前記ポケットが設けられている請求項２記載の釣竿ケース。
【請求項４】
ケース本体の側壁部の一部は縦方向に伸びる帯状体から構成され、該帯状体の上部と下部がそれぞれ法線方向に膨出することにより頭部と胴部それぞれの膨出部が形成され、該帯状体の一側縁部にはケース本体の本体開口部が設けられると共に他側縁部においてケース本体の側壁部を構成する他の部材に縫着され、該帯状体の内面にポケットが設けられている請求項３記載の釣竿ケース。
【請求項５】
帯状体の一側縁部には縁取りテープが縫着され、ポケットは帯状体の両側縁部における縫着部において帯状体に縫着されている請求項４記載の釣竿ケース。
【請求項６】
ポケットは、頭部の内面から内側に突出した底面部を有するボックス状である請求項３記載の釣竿ケース。
【請求項７】
ポケットは、天面部から側面部にかけてポケット開口部を有し、該ポケット開口部には、スライダを下方に操作することでポケット開口部が開状態となるようにスライドファスナーが設けられている請求項６記載の釣竿ケース。
【請求項８】
ケース本体は頭部から胴部にかけて縦方向に伸びる本体開口部を有し、該本体開口部の近傍にポケットが設けられ、ポケット開口部は本体開口部側に位置するポケットの側面部に形成されている請求項７記載の釣竿ケース。
【請求項９】
ポケット開口部の下端はポケットの底面部より所定量上方に位置する請求項７記載の釣竿ケース。
【請求項１０】
胴部の上部内面に内側に突出したマチ付きのポケットが更に設けられている請求項２記載の釣竿ケース。
【発明の詳細な説明】
【技術分野】
【０００１】
本発明は、釣竿を収納するための釣竿ケースに関し、特に、リールを装着した状態の釣竿を収納するのに適した釣竿ケースに関する。
【背景技術】
【０００２】
従来、この種の釣竿ケースとして、リール装着状態の釣竿を例えば複数本収納できるように、釣竿を収納する部分であるケース本体の下部を上部よりも太くしたものが公知である。このケース本体に釣竿を収納すると、太くした胴部内にリールが位置するので、リールが釣竿から側方に出っ張っていても容易に収納することができる。従って、この種の胴部を有する釣竿ケースを使用すると、リールを装着した状態のままで釣竿を釣竿ケースに収納して釣り場まで携帯することができ、釣り場における準備作業が少なくて済むうえに、釣竿とは別にリールを収納するケース等を持ち運ぶ必要がなくなるという利点がある。
【特許文献１】特開２００４−３４４１２４号公報
【特許文献２】特開２００４−３４４０１７号公報
【特許文献３】特開２００４−３３７０１６号公報
【発明の開示】
【発明が解決しようとする課題】
【０００３】
ところで、釣りには釣竿、リールの他にも多数の小物、例えば仕掛けやハサミ、あるいは替えスプール等が必要であり、それらを一般には釣竿ケースとは別にバック等に入れて携帯する。しかしながら、携帯しなければならないケース類の数は少ないほど良い。その一方で、個々のケースを大きくすれば収納力はアップするものの大きく重くなる結果、その携帯性は悪くなるから、むやみに大型化することはできない。
【０００４】
それゆえに本発明は、上記従来の問題に鑑みてなされ、下部を太くしてリール付きの釣竿を収納できるようにした釣竿ケースにおいてそのサイズアップを抑制しつつ収納効率を向上させることを課題とする。
【課題を解決するための手段】
【０００５】
本発明は、上記課題を解決すべくなされたものであり、本発明に係る釣竿ケースは、リール付きの釣竿が収納可能なように下部に太い胴部を有するケース本体を備えた釣竿ケースであって、ケース本体の上部には、胴部との間に細い首部が形成されるように、首部よりも太く胴部よりも細い頭部が形成され、該頭部の内部に小物収納部が設けられていることを特徴とする。
【０００６】
該釣竿ケースにあっては、ケース本体の下部に太い胴部を有しているため、その胴部の内側にリールが位置するようにしてリール付きの釣竿をケース本体に収納することができる。その一方、ケース本体の上部には胴部よりも細い首部及び頭部が設けられているが、従来のように、ケース本体の上部全てを均一に細くするのではなく、首部の上にそれよりも太く胴部より細い頭部を設けてその頭部内の空間を増加させている。そして、その頭部の内部に小物収納部が設けられているので、その小物収納部に例えば替えスプールやハサミあるいは仕掛け等の小物を収納してリール付き釣竿と共に一つの釣竿ケース内に収納して釣り場まで携帯することができる。従って、小物収納部に入れることのできる小物を別途のケースに入れて携帯するということが不要となり、その分だけ持っていくケースの個数を少なくできたり、あるいは、釣竿ケースとは別に持っていくケースを小型化することができたりする。そして、小物を多く必要としない簡易な釣りにおいては、釣竿ケース一つを持って釣りに行くということもできる。また、釣竿ケースを起立させた状態で頭部は釣り人の胸部前方に位置するので、屈むことなく小物収納部に小物を出し入れできる。
【０００７】
特に、小物収納部として、頭部の内面に、内側に突出したマチ付きのポケットが設けられていることが好ましい。例えば頭部内を板状の仕切壁で区画して釣竿収納部とは別に小物収納部を形成する構成とすることもできるが、頭部の内面にポケットを設けることにより小物収納部に収納した小物を頭部の内面に固定することできるので携帯時において小物が安定するという利点がある。しかも、ポケットをマチ付きのものとしているので、替えスプール等のような嵩の高い小物も容易に収納することができる。
【０００８】
また、胴部は一方向に膨出することによってその膨出方向に偏って太く形成され、且つ、頭部は胴部と同方向に膨出することによって胴部と同方向に偏って太く形成され、頭部の膨出部の内面に前記ポケットが設けられていることが好ましい。胴部においては、膨出している方向にリールが位置するようにして釣竿を収納するが、この胴部と同方向に頭部を膨出させることにより結果として釣竿ケースの横方向への大型化を最小限に抑制することができる。しかも、その頭部の膨出部の内面にマチ付きのポケットを設けることにより、頭部を膨出させて増加させた内部空間をポケットによって効果的に利用することができるので、例えば膨出部とは反対側の内面にポケットを設ける場合に比して、釣竿とポケットの干渉を少なくすることができる。
【０００９】
また更に、ケース本体の側壁部の一部は縦方向に伸びる帯状体から構成され、該帯状体の上部と下部がそれぞれ法線方向に膨出することにより頭部と胴部それぞれの膨出部が形成され、該帯状体の一側縁部にはケース本体の本体開口部が設けられると共に他側縁部においてケース本体の側壁部を構成する他の部材に縫着され、該帯状体の内面にポケットが設けられていることが好ましい。
【００１０】
ケース本体の側壁部の一部を帯状体としてそれをケース本体の側壁部の他の部材とは別体として他の部材に縫着することにより、その帯状体の上部と下部をそれぞれ法線方向に膨出して頭部と胴部の膨出部を形成しても他の部材に容易に縫着することができ、帯状体を湾曲等させれば頭部と胴部のそれぞれの膨出部を膨出形成できるので両膨出部を同じ方向に膨出させることも容易である。そして、帯状体の内面にポケットを設ける構成としているので、頭部の膨出部の膨出方向を容易にポケットのマチの突出方向とすることができる。しかも、帯状体の一側縁部はケース本体の本体開口部であるのでポケットは本体開口部の近傍に位置することとなり、従って、本体開口部を開口させて釣竿を出し入れする際に、その本体開口部から表出するポケットに小物を収納したりそこから取り出したりするという作業が容易にできる。
【００１１】
その場合、帯状体の一側縁部には縁取りテープが縫着され、ポケットは帯状体の両側縁部における縫着部において帯状体に縫着されていることが好ましい。即ち、ポケットを帯状体の一側縁部の縫着部から他側縁部の縫着部まで設けることにより、帯状体の幅寸法を最大限に活かして無駄のない大きなポケットを設けることができる。
【００１２】
一方、ポケットは、頭部の内面から内側に突出した底面部を有するボックス状であることが好ましい。ポケットをボックス形状とすることにより、底面部のないマチ付きポケットに比してポケットの収納力を高めることができる。
【００１３】
またその場合において、ポケットは、天面部から側面部にかけてポケット開口部を有し、該ポケット開口部には、スライダを下方に操作することでポケット開口部が開状態となるようにスライドファスナーが設けられていることが好ましい。ポケット開口部が天面部から側面部にかけて設けられているので大きな開口を確保することができる。しかも、スライダの下方操作という一操作によってポケット開口部を開口させることができるので、ケース本体を片方の手で支えながら他方の手でスライダを操作してポケット開口部を開口させることができる。また、スライダの下方操作を加減することによって上部のポケット開口部の開口面積を容易に調節することができる。
【００１４】
更には、ケース本体は頭部から胴部にかけて縦方向に伸びる本体開口部を有し、該本体開口部の近傍にポケットが設けられ、ポケット開口部は本体開口部側に位置するポケットの側面部に形成されていることが好ましい。本体開口部から釣竿を出し入れすることができるが、ポケットが本体開口部の近傍に設けられているので、開口させた本体開口部からポケットが表出する。そして、本体開口部側に位置するポケットの側面部にポケット開口部が設けられているので、ポケット開口部を本体開口部から容易に開閉させて小物を出し入れすることができる。
【００１５】
また、上述したようにポケット開口部が天面部から側面部にかけて設けられている場合においてそのポケット開口部の下端がポケットの底面部より所定量上方に位置することが好ましい。ポケット開口部の下端が底面部より上方に位置することにより、ポケット開口部を全開させた場合でも、ポケット開口部の下端から底面部までの間には所定高さの収納空間が残存することとなるので、不用意にスライダを下端まで一気に下方操作したとしても、収納している小物が落下しにくくなる。
【００１６】
一方、頭部のマチ付きのポケットとは別に、胴部の上部内面に内側に突出したマチ付きのポケットが更に設けられていることが好ましい。胴部の内側にはリールが位置するのであるが、その胴部の上部までリールが位置するように使用されることは比較的少ない。従って、その使用頻度の低い胴部の上部内面にマチ付きポケットを別途設けることにより、胴部の空間を効率良く使用することができ、頭部のポケットと合わせると更に大きな小物収納空間を確保することができる。
【発明の効果】
【００１７】
以上のように本発明の釣竿ケースにあっては、首部は太くせずに頭部のみを太くしているので、ケース本体の大型化や重量増加を最小限に抑制しつつ内部の空間を増加させることができる。しかも、釣竿ケースを起立させた際に頭部は釣り人の胸部前方に位置するので、小物収納部への小物の出し入れが容易である。
【発明を実施するための最良の形態】
【００１８】
以下、本発明に係る釣竿ケースの一実施形態について図面を参酌しつつ説明する。
図１に示す本実施形態の釣竿ケースは、リール付きの釣竿Ｗを収納可能な縦長のケース本体Ａと、該ケース本体Ａの外面に取り付けられた肩掛けベルト２３及び把手２４とを備えている。ケース本体Ａは、縦長の筒状の側壁部５を有している。該側壁部５は、縦長の四つの壁面、即ち、前面１、背面２、左右両側面３，４の合計四つの壁面からなる。各壁面がそれぞれ別々の部材から構成されていてもよいが、本実施形態においては、側壁部５は、図７にも示しているように、横断面視略Ｕ字状に形成された枠体１０と、該枠体１０の左右両側縁部１０ａ，１０ｂ間を連結する帯状体１１とから構成され、該帯状体１１が前面１を構成し、枠体１０が背面２と左右両側面３，４とを構成する。
【００１９】
帯状体１１は、幅一定であって、図７にも示しているように、その右側縁部１１ａが枠体１０の右側縁部１０ａと縫合され、その左側縁部１１ｂは枠体１０の左側縁部１０ｂとスライドファスナーにより連結されている。即ち、帯状体１１の左側縁部１１ｂと枠体１０の左側縁部１０ｂとの間に、釣竿Ｗを出し入れするための本体開口部３０が形成される。該本体開口部３０は、縦方向に沿って側壁部５の略全長に亘って形成されている。尚、帯状体１１の右側縁部１１ａと枠体１０の右側縁部１０ａは互いの表面同士が重ね合わせられて内側に向けられ、その重ね合わせられた部分には端面を覆うように縁取りテープ６０が縫着されている。また、枠体１０の左側縁部１０ｂと帯状体１１の左側縁部１１ｂにもそれぞれ縁取りテープ６１，６２が縫着されており、それぞれの縁取りテープ６１，６２にスライドファスナーのテープ部が縫着されている。
【００２０】
一方、図２及び図３のように、右側面３と左側面４は対称形状であって、上端から徐々に前方側に膨出するように幅広となった後徐々に細くなり、そこから再び徐々に前方側に膨出するように幅広となって、その後、下端に向けて再び徐々に幅狭となっていく形状をなしている。即ち、右側面３と左側面４には各々の上部と下部とにそれぞれ前方側に弧状に膨出するようにして偏って幅広となった部分が設けられており、それによってケース本体Ａは上部と下部がそれぞれ前後の寸法が局所的に大きく形成されている。換言すれば、背面２は上下方向に略真っ直ぐに伸びる一方、前面１を構成する帯状体１１はその上部と下部において法線方向外側に向けて部分的に弧状に湾曲膨出している。従って、帯状体１１が前側に弧状に膨出する膨出部を上下に有することによって、ケース本体Ａは、下側から順に胴部Ａ１と首部Ａ２と頭部Ａ３とを有し、胴部Ａ１は前方側に偏って太く形成され、頭部Ａ３も同様に前方側に偏って太く形成されているものの胴部Ａ１よりは細く形成され、首部Ａ２はその頭部Ａ３と胴部Ａ１との間に位置して細く形成されている。太く形成された胴部Ａ１内には釣竿Ｗに装着したリールが位置し、頭部Ａ３内には釣竿Ｗの穂先部が位置することとなる。
【００２１】
更に、左側面４には、胴部Ａ１の弧状の膨出形状に適合するような切欠円形状の外ポケット２０が側方に突出して設けられており、該外ポケット２０のポケット開口部２１は、前面側にあって胴部Ａ１の弧状の膨出形状に沿っており、スライドファスナーにより縦方向に開閉される。尚、外ポケット２０はマチがなく背面２側から連続的に形成されており、従って厚さの薄い偏平なものである。
【００２２】
図７に戻って、枠体１０はその両側縁部１０ａ，１０ｂにおいて互いに縫合された外装材１００と内装材１０２とを備え、外装材１００と内装材１０２の間には硬質ボード１０１が略Ｕ字状に撓ませられた状態で介装されている。内装材１０２は、例えば、ナイロン等の合成樹脂製の生地から構成される。外装材１００は、厚さ５ｍｍ程度の均一厚の板状の部材であり、図８に示す如く、板状発泡体からなる基材２００の片面に合成樹脂フィルム等からなる表面シート２０１を積層一体化したものであって、該表面シート２０１が外側となるようにして使用されている。ここで、基材２００は、例えばエチレン酢酸ビニル共重合体（ＥＶＡ）発泡体等であり、表面シート２０１は例えばポリウレタンシートである。また、硬質ボード１０１は、基材２００よりも硬質であって、例えばポリエチレン等の合成樹脂からなるボードが使用され、基材２００よりも薄肉である。該硬質ボード１０１はその可撓性によって略Ｕ字状に湾曲し、従って、硬質ボード１０１は図７に矢印Ｑで示すようにその弾性復元力により元の平坦な状態に戻ろうとし、それによって枠体１０も左右に開こうとするが、この枠体１０の開きは帯状体１１で阻止される。尚、帯状体１１も同様の外装材１１０と内装材１１２とを有するが、両者の間には硬質ボードは一部分のみ介装される。
【００２３】
かかる枠体１０の三層構造（外装材１００、硬質ボード１０１、内装材１０２）は、枠体１０の三面共に共通して使用されている。即ち、硬質ボード１０１は上端から下端まで全長に亘って設けられている。そして、外装材１００も枠体１０の全長に亘って一枚物である。即ち、複数枚を縫合したものではなく、枠体１０の形状に合わせて裁断した一枚の外装材１００が使用されている。尚、図３に示すように左側面４には外ポケット２０が設けられているので、スライドファスナー付きのポケット開口部２１において左側面４の外装材１００は部分的に上下に分断されている。
【００２４】
ここで、外ポケット２０の一方の内面、具体的には内側の内面２０ａには、図４に示す如く仕切部材５０が取り付けられている。仕切部材５０の位置や個数は任意であるが、本実施形態においては胴部Ａ１の上下方向の中央部であって且つ前後方向の中央部である。該仕切部材５０は、縦方向に伸びる筋状突起５１が横方向に間隔をおいて複数（本実施形態では一定間隔毎に３つ）形成されており、従って、外ポケット２０に複数の棒状体Ｂを互いに干渉することなく分離状態で収納できる。即ち、左右両端の筋状突起５１の外側にそれぞれ一本ずつ、各筋状突起５１間にそれぞれ一本ずつ、本実施形態では合計４本の棒状体Ｂを分離して縦向きにして収納することができる。棒状体Ｂとしては、例えば、柄杓を収納できる。また、外ポケット２０の縦方向の寸法は背面２側から前面１側に向けて徐々に小さくなっているので、長さの異なる柄杓を長いものから順にして背面２側から収納することができる。このように柄杓等の棒状体Ｂを分離状態で収納できるので、携帯時や磯渡し時等において棒状体Ｂ同士の衝突が防止されて棒状体Ｂの破損や表面の傷つきが防止される。
【００２５】
また、仕切部材５０は、全体としては板状であって上述した筋状突起５１が表側に突出形成されたものであり、全体形状としては例えば矩形である。この筋状突起５１は図９に示すように断面略三角形状であって縦方向に一直線に形成されている。該仕切部材５０の具体的構成を更に詳細に説明すると、仕切部材５０は主として表板５００と裏板５０１とから構成されている。表板５００は、多層構造であって、例えば発泡ＥＶＡ等の板状発泡体からなる基材５００ａの表面にその保護のためにトリコットやポリウレタンシート等からなる表面シート５００ｂを積層したものである。そして、該表板５００が筋状突起５１を形成すべくシート成型され、その裏面に裏板５０１が重ね合わせられて周囲に縁取りテープ５０２が施される。従って、筋状突起５１の内側には空間５２が設けられ、該空間５２が緩衝機能を持つ。尚、裏板５０１は、表板５００よりも硬質であって、例えばポリエチレン等の合成樹脂からなる硬質ボードが使用される。また、仕切部材５０の表板５００を構成している板状発泡体の硬度は、上述した外装材１００，１１０を構成している板状発泡体のそれよりも大きい。
【００２６】
更に、仕切部材５０は外ポケット２０の内側の内面２０ａに着脱自在に取り付けられている。即ち、外ポケット２０の内側の内面２０ａには面ファスナーの一方である雌側部材２７が部分的に装着される一方、仕切部材５０の裏面には面ファスナーの他方である雄側部材が全体あるいは部分的に装着されている。従って、仕切部材５０は容易に着脱可能であり、しかも、上下左右の位置も調整可能である。尚、雌側部材２７は仕切部材５０よりも大きな面積を有している。
【００２７】
一方、図１乃至図３に示すように、首部Ａ２を中心として補強材が別途取り付けられている。即ち、首部Ａ２における外装材１００，１１０の外側に補強材として補強シート１１５が縫着により積層されている。具体的には、首部Ａ２おける前面１、左右両側面３，４にそれぞれ補強シート１１５が縫着されており、前面１においては首部Ａ２全体に、左右両側面３，４においては前広がりの台形状のものが前側領域に、ぞれぞれ縫着されている。これによって、首部Ａ２は、前面１では三層構造となり、左右両側面３，４においてはその大部分が四層構造となっている。
【００２８】
尚、帯状体１１は枠体１０よりも上方に長く形成されてその上端部１１ｃで側壁部５の上端開口を閉塞し、スライドファスナーも枠体１０の右側縁部１０ａの上端まで達している。また、側壁部５の下端には合成樹脂成型品の底キャップ２２が外装着されて側壁部５の下端開口が閉塞されている。また、背面２には、肩掛けベルト２３と把手２４とが取り付けられており、側壁部５の上端部にも把手２５が取り付けられている。
【００２９】
このようなケース本体Ａの内部には、リール付きの釣竿Ｗが複数収納することができるが、釣竿Ｗ以外にも種々の小物を釣竿とは分離して収納することができる。上述したように、本実施形態におけるケース本体Ａの頭部Ａ３は、首部Ａ２に比して太く形成されており、その首部Ａ２の膨出方向でもある前面１の内側即ち帯状体１１の内面には、図５及び図６のように、小物収納部としてのマチ付きの第一ポケット７０が設けられている。該第一ポケット７０は、内側即ち背面２側に向けて突出した底面部７００及び天面部７０１と両者を連結する側面部７０２とから縦長のボックス状に形成されている。そして、図７にその断面構造を示しているが、第一ポケット７０の側面部７０２は、帯状体１１の左側縁部１１ｂにおける縁取りテープ６１と右側縁部１１ａにおける縁取りテープ６０とにそれぞれ縫着されている。即ち、第一ポケット７０の側面部７０２は、帯状体１１の両側縁部１１ａ，１１ｂにおける縫着部において帯状体１１に縫着されており、従って、帯状体１１の内面のうち使用可能な全幅に亘って第一ポケット７０設けられている。また、第一ポケット７０は、天面部７０１から本体開口部３０側に位置する側面部７０２にかけてポケット開口部７０３を有し、該ポケット開口部７０３は、スライダを下方に操作することで開状態となるスライドファスナーが設けられている。また、ポケット開口部７０３の下端７０３ａは底面部７００から所定量上方に位置している。尚、ポケット開口部７０３は第一ポケット７０の突出方向の中央よりも帯状体１１に近い位置に設けられている。また、第一ポケット７０はケース本体Ａの内装材１１２と同様の生地（例えばナイロン地）から構成される。
【００３０】
更に、マチ付きの第二ポケット７１も別途胴部Ａ１に設けられている。この第二ポケット７１も帯状体１１の内面に縫着されていてその縫着の構造は第一ポケット７０のそれと同様であり縦長のボックス状であることも同様である。また、第二ポケット７１は、第一ポケット７０よりも長く従ってその容積も第一ポケット７０より大きい。該第二ポケット７１は、胴部Ａ１の上部内面に位置しており、胴部Ａ１の上部においては帯状体１１が首部Ａ２にかけて徐々に背面２側に向けて傾斜しているので、第二ポケット７１も傾斜した状態にある。尚、第二ポケット７１のポケット開口部７１３も、第二ポケット７１の側面部のうち本体開口部３０側に位置する側面部にその長手方向に沿って設けられているが、第一ポケット７０とは異なり天面部にまでは伸びていない。また、第二ポケット７１のポケット開口部７１３は側面部の略全長に亘って設けられている点でも第一ポケット７０のそれとは異なっている。
【００３１】
以上のように構成された釣竿ケースにあっては、首部Ａ２の上方にそれよりも太い頭部Ａ３を設けて帯状体１１の内面に第一ポケット７０を設けているので、その第一ポケット７０にハサミや替えスプールあるいは仕掛け等の小物を収納することができる。従って、リール付きの釣竿Ｗと共にハサミ等の小物を一つの釣竿ケースに収納して釣り場まで携帯することができ、釣竿ケースとは別に携帯すべきケースやバックの数を減らしたりそれらを小型のものにしたりできる。また、第一ポケット７０は頭部Ａ３にあって釣竿ケースを起立させた際に釣り人の胸部の高さに略位置するので、容易に小物を出し入れすることができる。また、帯状体１１の内面に第一ポケット７０があって本体開口部３０の近傍に位置しているので、本体開口部３０を開けると第一ポケット７０がそこから表出し、従って、容易に取り出しできる。しかも、第一ポケット７０のスライドファスナーが本体開口部３０側の側面部７０２に設けられているのでそのスライダの操作が容易であって取り出し性が優れ、また、スライダを下方操作するだけでよいので簡単にポケット開口部７０３を開けて小物を取り出して釣りの準備を行うことができる。しかも、ポケット開口部７０３の下端７０３ａが第一ポケット７０の底面部７００から上方に位置しているので、収納した小物がポケット開口部７０３から飛び出すということが抑制され、小物の落下破損を防止できる。
【００３２】
また、第一ポケット７０はボックス状であって且つ帯状体１１の略全幅に亘って設けられているのでその容量が大きく、従って、頭部Ａ３の膨出量を抑制することができて結果として釣竿ケースの大型化、重量アップを抑制できる。
【００３３】
更に、第一ポケット７０の他に第二ポケット７１を設けているのでその第二ポケット７１にも小物を収納することができ、第一ポケット７０を合わせて様々な小物を釣竿ケースに入れて釣り場まで携帯することができる。しかも、第二ポケット７１は胴部Ａ１の部位でも比較的リールの邪魔にならない部位であるところの上部内面に設けられているので、リールとの干渉も抑制され、ケース本体Ａの内部空間を効率よく使用することができる。
【図面の簡単な説明】
【００３４】
【図１】本発明の一実施形態における釣竿ケースの斜視図。
【図２】同釣竿ケースの右側面図。
【図３】同釣竿ケースの左側面図。
【図４】同釣竿ケースの使用状態を示す左側面図。
【図５】同釣竿ケースの使用状態を示す斜視図。
【図６】図５の要部拡大図。
【図７】図１のＰ−Ｐ線断面図。
【図８】同釣竿ケースの要部断面図。
【図９】同釣竿ケースの要部断面図。
【符号の説明】
【００３５】
１…前面、２…背面、３…右側面、４…左側面、５…側壁部、１０…枠体、１１…帯状体、２０…外ポケット、２１…ポケット開口部、３０…本体開口部、５０…仕切部材、６０，６１，６２…縁取りテープ、７０…第一ポケット（マチ付きのポケット）、７１…第二ポケット（マチ付きのポケット）、１００，１１０…外装材、１０１…硬質ボード、１０２、１１２…内装材、１１５…補強シート、２００…基材、２０１…表面シート、５００…表板、５００ａ…基材、５００ｂ…表面シート、５０１…裏板、５０２…縁取りテープ、７００…底面部、７０１…天面部、７０２…側面部、７０３，７１３…ポケット開口部、Ａ…ケース本体、Ａ１…胴部、Ａ２…首部、Ａ３…頭部、Ｂ…棒状体、Ｗ…釣竿
【図１】
2008011737.tif 000003
【図２】
2008011737.tif 000004
【図３】
2008011737.tif 000005
【図４】
2008011737.tif 000006
【図５】
2008011737.tif 000007
【図６】
2008011737.tif 000008
【図７】
2008011737.tif 000009
【図８】
2008011737.tif 000010
【図９】
2008011737.tif 000011